(57)【要約】      （修正有）【課題】耐火性と十分な強度を有し、消防活動等の際に消火活動を行う者を飛散片による受傷や火傷から保護する盾を提供する。【解決手段】盾１００は、装着時に使用者ｈを保護する本体部１０と、本体部に取り付けられ本体部を使用者に装着させる装着部２０と、を有する。本体部は耐火性を向上させる材料（グラスファイバー長繊維、フェノール樹脂、及び超々ジュラルミン）を含むか、又は表面処理が施されている。【選択図】図２
0003211014.tif 000002
【実用新案登録請求の範囲】
【請求項１】
装着時に使用者を保護する本体部と、
前記本体部に取り付けられ前記本体部を前記使用者に装着させる装着部と、を有し、
前記本体部は、耐火性を向上させる材料を含むか、又は表面処理が施されている、盾。
【請求項２】
前記装着部は、前記本体部に起立して設けられた一組の起立部と、前記一組の起立部における前記本体部とは逆側の端部同士を接続する接続部と、を備える、請求項１に記載の盾。
【請求項３】
前記装着部は、前記使用者の腕を挿通可能な挿通部を形成する帯部材を複数備える、請求項１に記載の盾。
【請求項４】
前記本体部は、グラスファイバー長繊維、フェノール樹脂、及び超々ジュラルミンを含む、請求項１から３のいずれか１項に記載の盾。
【考案の詳細な説明】
【技術分野】
【０００１】
本考案は盾に関する。
【背景技術】
【０００２】
従来から警察等がデモの鎮圧や警護活動等を行う際に盾を使用することがある（特許文献１参照）。
【先行技術文献】
【特許文献】
【０００３】
【特許文献１】特開２００４−３７０３３号公報
【考案の概要】
【考案が解決しようとする課題】
【０００４】
特許文献１のような盾は、上記のような警察等に限定されず、消防隊等によって使用される場合がある。消防活動の現場では火元から爆発が発生するおそれがあり、爆発によって火元に存在する破片等が周囲に飛散し、消防隊等に接触する可能性がある。また、消防活動の際に消防隊等が火元に接近して消火活動を行っていると、熱源からの熱によって消防隊等が火傷してしまうおそれがある。
【０００５】
そこで本考案は、消防活動等の際に消火活動を行う者を飛散片による受傷や火傷から保護する盾を提供することを目的とする。
【課題を解決するための手段】
【０００６】
上記目的を達成する本考案に係る盾は、装着時に使用者を保護する本体部と、本体部に取り付けられ本体部を使用者に装着させる装着部と、を有する。本考案において本体部には耐火性を向上させる材料を含むか、又は表面処理が施されている。
【考案の効果】
【０００７】
本考案によれば、上記のように構成しているため、消火活動を行う者を飛散片による受傷や火傷から保護することができる。
【図面の簡単な説明】
【０００８】
【図１】本考案の第１実施形態に係る盾を使用者が把持した様子を前側から見た斜視図である。
【図２】図１とは別の方向から見た様子を示す斜視図である。
【図３】図１の盾を示す背面図である。
【図４】図１の盾を示す平面図である。
【図５】本発明の第２実施形態に係る盾を使用者が把持した状態を示す側面図である。
【図６】図５の平面図である。
【図７】図５の盾を後側から見た斜視図である。
【図８】図５の盾を示す背面図である。
【考案を実施するための形態】
【０００９】
以下、添付した図面を参照しながら、本考案の実施形態を説明する。なお、以下の記載は実用新案登録請求の範囲に記載される技術的範囲や用語の意義を限定するものではない。また、図面の寸法比率は説明の都合上誇張されており、実際の比率とは異なる場合がある。
【００１０】
（第１実施形態）
図１〜図４は本考案の第１実施形態に係る盾の説明に供する図である。本実施形態に係る盾１００は、例えば消防の救助活動における火災発生現場等において使用される。本実施形態に係る盾１００は、図１〜４を参照して概説すれば、装着時に使用者ｈを保護する本体部１０と、本体部１０に取り付けられ本体部１０を使用者ｈに装着させる装着部２０と、を有する。本体部１０は、耐火性を向上させる材料を含むか、又は表面処理を施している。以下、詳述する。
【００１１】
本体部１０は、薄板状の部材により構成され、装着時に使用者ｈを保護する部位であり、本実施形態では面に直交する方向から正面視した際に略矩形状に形成される。しかし、装着時に使用者ｈを効果的に保護できれば、具体的な形状は矩形に限定されない。本体部１０は、本実施形態において主にグラスファイバー長繊維、フェノール樹脂、及び超々ジュラルミン等から構成している。これにより、盾１００は、熱伝導率を０．０３Ｗ／ｍｋ、耐熱温度を１０００℃程度にでき、耐火性を良好なものにしている。
【００１２】
装着部２０は、装着時における本体部１０の背面側に取り付けられている。装着部２０は、図４に示すように正面に直交する上面方向から見た（平面視した）際に略コの字状又はＵ字状に構成している。言い換えれば、装着部２０は、本体部１０に起立して設けられた一組の起立部２１と、一組の起立部２１における本体部１０に接続された部位と逆側の端部同士を接続した接続部２２と、を備える。装着部２０は、雄ねじと雌ねじとの螺合等によって本体部１０に対して２箇所において取り付けられている。これにより使用者ｈは装着部２０を手指によって把持し、消火活動の際に自らの身体を広範囲にわたり保護することができる。また、盾１００は、図１に示すように片手にて把持できるため、もう一方の手を消防等に必要な別の器具の把持に利用でき、使用者ｈを保護しつつ、消防活動を効率的に実施できる。
【００１３】
以上のように本実施形態に係る盾１００は、装着時に使用者ｈを保護する本体部１０と、本体部１０に取り付けられ本体部１０を使用者ｈに装着させる装着部２０と、を有する。本体部１０は耐火性を向上させる材料を含むように構成している。そのため、本実施形態に係る盾１００を使用する使用者ｈを消防活動の際における火元からの飛散片による受傷や火傷から保護することができる。また、消防士等の使用者が火元に向かって放水した際に高温に温度上昇し使用者に跳ね返った熱水による火傷や受傷等を防止することもできる。
【００１４】
また、装着部２０は、本体部１０に起立して設けられた一組の起立部２１と、一組の起立部２１における本体部１０とは逆側の端部同士を接続する接続部２２と、を備えるように構成している。そのため、使用者ｈは一方の手で盾１００を把持して消防活動の際に使用者ｈを保護しつつ、他方の手において別の器具を把持して消防活動を実施することができる。
【００１５】
また、本体部１０はグラスファイバー長繊維、フェノール樹脂、及び超々ジュラルミンを含むように構成している。そのため、本体部１０に耐火性と十分な強度を付与し、高温の火災発生現場等における火元からの飛散片による使用者ｈの受傷又は火傷を防止することができる。
【００１６】
（第２実施形態）
図５〜図８は本考案の第２実施形態に係る盾の説明に供する図である。第２実施形態は第１実施形態と装着部の構成が異なり、その他の構成は同様であるため、同様の構成には実施形態１と共通の符号を付して説明を省略する。第２実施形態に係る盾１００ａは、装着時に使用者ｈを保護する本体部１０と、本体部１０を使用者ｈに装着させる装着部３０と、を有する。なお、本体部１０は第１実施形態と同様であるため、説明を省略する。
【００１７】
装着部３０は、図５〜８に示すように使用者ｈの腕ａｒを挿通可能な挿通部３３を形成する第１帯部材３１と、水平方向において第１帯部材３１と並んで配置され、第１帯部材３１と共に腕ａｒを挿通可能な挿通部３３を形成する第２帯部材３２と、を有する。
【００１８】
第１帯部材３１及び第２帯部材３２は、図８に示すように本体部１０の背面においてそれぞれ上下２箇所にて挿通部３３を形成できるように間隔を空けた状態で取り付けられている。これにより使用者ｈは、第１実施形態のような両腕における一方の手指により盾を把持した場合と比べて、腕ａｒを挿通部３３に挿通させるだけで盾１００ａを装着できる。これにより、盾１００ａを装着しても、両手を別の器具の把持等に使用でき、消防活動現場での作業をより広範囲又はより効率的に実施することができる。
【００１９】
なお、本考案は、上述した実施形態にのみ限定されず、実用新案登録請求の範囲において種々の変更が可能である。上記では、本体部１０がグラスファイバー長繊維やフェノール樹脂、超々ジュラルミンを含むことにより、耐火性を良好なものにすると説明したが、これに限定されない。本体部１０は、アクリル系繊維やフェノール繊維等の難燃繊維やポリカーボネート等の難燃樹脂を使用してもよい。また、本体部１０は、上記以外にも例えばアンモニウム塩等の発泡剤、多価アルコール等の炭化剤、及びアクリル樹脂のような結合剤等を含む塗料をポリカーボネート等に塗布し、高温時に発泡して断熱層を形成することによって耐火性を良好なものとしてもよい。
【００２０】
また、第２実施形態では第１帯部材３１及び第２帯部材３２をそれぞれ本体部１０の上下２箇所で取り付けると説明したが、これに限定されない。上記以外にも本体部１０における上下２箇所の取り付け箇所のうち、一方の取り付け箇所にベルトのように帯部材を挿通させる一の金具と、一の金具に対する帯部材の位置を固定する他の金具と、を設けてもよい。これにより、使用者ｈの腕に合わせて挿通部の大きさを適宜調節することができる。
【符号の説明】
【００２１】
１０  本体部、
１００、１００ａ  盾、
２０、３０  装着部、
２１  起立部、
２２  接続部、
３１  第１帯部材、
３２  第２帯部材、
３３  挿通部、
ａｒ  腕、
ｈ  使用者。
【図１】
0003211014.tif 000003
【図２】
0003211014.tif 000004
【図３】
0003211014.tif 000005
【図４】
0003211014.tif 000006
【図５】
0003211014.tif 000007
【図６】
0003211014.tif 000008
【図７】
0003211014.tif 000009
【図８】
0003211014.tif 000010